(57)【要約】【課題】コンピュータを操作して各種データを入力する際に使われる、従来のキーボードとキーボードと分離した従来のマウスを併用することからくる、操作する手の煩雑な動きを抑え、データ入力効率を大幅に改善することが可能な枕状支持部を設けたマウス機能付キーボードを提供する。【解決手段】コンピュータのキーボード上のテンキーの左側及び上側にマウス機能を有したコントロール装置類を組み込み、なおかつコントロール装置類を操作する手を安定的に支持する枕状支持部をテンキーの下側に設けたことを特徴とする枕状支持部を設けたマウス機能付キーボード。【選択図】  図１
2005063395.tif 000002
【特許請求の範囲】
【請求項１】
コンピュータのキーボードの右側に配置されているテンキーの左側にマウスの機能のポインタを移動させるコントロール機能を有した装置を組み込み、テンキーの上側にマウス機能の左右のクリックボタン機能およびホイール機能を有する装置を組み込み、なおかつこれらの装置及びテンキーを操作する手の、手首ないし手の掌を支持するための枕状支持部をテンキー下側に設けたことを特徴とする、枕状支持部を設けたマウス機能付キーボード。
【発明の詳細な説明】
【技術分野】
【０００１】  本発明はコンピュータを操作するキーボード上にマウス機能を有したコントロール装置類を組み込み、なおかつ、その組み込まれたコントロール装置類を操作する手の、手首あるいは手の掌を支えるための枕状の手首安定用支持部を設けたことを特徴とする枕状支持部を設けたマウス機能付キーボードに関するものである。
【背景技術】
【０００２】  コンピュータを操作し、各種のデータ入力をするためにはキーボードと、データ入力位置を指示するポインタを操作するために、キーボードから分離されたマウスを併用していた。この２つの入力装置の併用操作や持ち替え操作からくるデータ入力の効率の悪化を解消するために、従来キーボード上の既存のキーに入力切り替え機能を付加し、キー切り替え操作によりキーボード上の既存のキーにマウスの機能を持たせたタイプがある。（例えば特許文献１参照）また従来のキーボードの右端側に従来のマウスを組み込んだマウス一体化キーボードのタイプがある。（例えば特許文献２参照）以下、従来のタイプの操作性について説明する。まずキーボード既存のキー入力切り替え機能タイプはデータ入力位置を指定するマウスのポインタ操作とデータ入力キーの切り替え操作そのものが煩雑なキー操作を生む結果となり、データ入力効率の悪化を招いてしまった。また単にキーボードの右端側にマウスを組み込んだタイプはキー切り替え操作タイプと比較するとデータ入力効率が良くなってはいるものの、マウスを操作する手の位置とテンキーを操作する手の位置がずれる。このことは結果的にマウスを持ち替えてキーボード操作を行うという非効率な操作の解消にはつながらず、やはりデータ入力の効率の改善には到っていない。
【特許文献１】特開平７−１２１２８１号公報
【特許文献２】実登３０７７２９６号公報
【発明の開示】
【発明が解決しようとする課題】
【０００３】  そのためにコンピュータを操作し、表計算等のソフト又は建築設計等のＣＡＤと呼ばれるソフト又は文書等を作成するためソフトなどの、特にキーボードのテンキー操作を必要とする際には、ポインタ位置を指示するマウスとテンキーとを煩雑に併用操作することになり、データ入力作業の効率を著しく悪化させる原因となっていた。
本発明は、これらの問題点を解決するためになされたものである。
【課題を解決するための手段】
【０００４】  コンピュータのキーボードの右側に配置されているテンキーの左側にマウスの機能のポインタを移動させるコントロール機能を有した装置を組み込み、テンキーの上側にマウス機能の左右のクリックボタン機能およびホイール機能を有する装置を組み込んだマウス機能付キーボードである。なおかつ、これらの組み込まれたマウス機能を有するコントロール装置類及びテンキーを操作する手の手首ないし手の掌を安定して支持するための枕状支持部をテンキー下側に設けたことを特徴とする枕状支持部を設けたマウス機能付キーボードである。
【発明の効果】
【０００５】  コンピュータのキーボードの右側に配置されているテンキーの左側及び上側にマウスの機能を有したコントロール装置類を組み込むことは、キーの切り替え操作によってマウス機能を実現するという煩雑な操作を排除することができる。かつキーボードのテンキー下側に設けた枕状支持部に、操作する右手の手首または手の掌を預けることで、ポインタコントロール操作及びクリックボタン操作を行いながら、操作する手を移動させることなくテンキー操作を安定した状態で行えることになる。キーボート上にマウス機能が組み込まれることで、マウスからキーボードへ、キーボードからマウスへといった操作する手の煩雑な移動動作も排除できる。このことでデータ入力作業の大幅な効率改善がなされる。さらに枕状支持部に操作する手の手首あるいは手の掌を預けることは、操作する手に覆いかぶされた状態となるテンキーの誤操作を排除できることにもなる。
【発明を実施するための最良の形態】
【０００６】  以下、本発明の実施の形態について説明する。
（イ）コンピュータのキーボード（１）の右側に配置されているテンキー（２）の左          側に、マウスの機能のポインタを移動させるコントロール機能を有したポイン          タコントロール装置（３）を組み込む。
（ロ）上記のポインタコントロール装置は、右手親指一本で操作することが可能な形          状のスティックタイプ状のもので、スティックの下部を軸点としてスティック          の上部が上下左右だけでなくどの方向へも操作できるものである。スティック          を親指で倒した方向に、コンピュータの画面上のポインタが移動し、スティッ          クを倒した角度量で画面上のポインタの移動速度がコントロールできるもので          ある。
（ハ）コンピュータのキーボード（１）の右側に配置されているテンキー（２）の上          側にマウス機能のクリックボタン操作を行うための左クリックボタン装置（４          ）および右クリックボタン装置（５）およびホイール操作を行うためのホイー          ル装置（６）を組み込む。
（ニ）コンピュータのキーボード（１）の右側に配置されているテンキー（２）の下          側にテンキー（２）の突起高さよりも一段と高くなった枕状支持部（７）を設          ける。
本発明は以上のような構成で、これを使用するときは、操作する右手の手首または手の掌を枕状支持部（７）に預け手首を安定させた状態で、右手親指一本でポインタコントロール装置（３）を操作し、かつ左クリックボタン装置（４）、右クリックボタン装置（５）、ホイール装置（６）、テンキー（２）を操作する。
【実施例】
【０００７】  図１に示すようなスティック状タイプのポインタコントロール装置（３）の変わりにマウス用トラックボールの上部が一部顔を出したタイプで、このトラックボールを指一本で操るタイプのポインタコントロール装置を組み込んでもよい。このトラックボールはボールの中心を軸点に回転可能で、トラックボールの回転方向がコンピュータ画面上のポインタ移動方向となり、トラックボールの回転量がポインタの移動量となるタイプのポインタコントロール装置である。
【図面の簡単な説明】
【０００８】
【図１】本発明の斜視図
【図２】本発明の右側面図
【符号の説明】
【０００９】１  キーボード
２  テンキー
３  ポインタコントロール装置
４  左クリックボタン装置
５  右クリックボタン装置
６  ホイール装置
７  枕状支持部
【図１】
2005063395.tif 000003
【図２】
2005063395.tif 000004